(57)【要約】【課題】  ストレーナの目詰まりを防止することのできる復水回収装置を提供すること。【解決手段】  復水溜容器２に復水の流入口３と還元口１１、及び、高圧操作流体の導入口１７と循環口１９をそれぞれ設ける。復水の流入口３にストレーナ４を介在して復水流入管７を接続する。復水の還元口１１に復水圧送管１３を接続する。ストレーナ４の逆洗口１４に圧送管路１５を介して復水圧送管１３と接続する。  復水の還元口１１から復水圧送管１３へと復水が排出される場合に、復水の一部が圧送管路１５と逆洗口１４を通って漉し取り部１０から入口８と復水流入管７へと逆流することで、漉し取り部１０を逆洗することができる。【選択図】図１
2014009846.tif 000002
【特許請求の範囲】
【請求項１】
復水の流入口と還元口を設けた復水溜容器と、当該復水溜容器に高圧操作流体の導入口と循環口を形成すると共に、復水溜容器内の水位と共に浮上降下するフロート手段を配置して、当該フロート手段の移動に応じて上記高圧操作流体の導入口と循環口を開閉して復水を圧送し回収するものにおいて、復水の流入口の入口側に異物を漉し取るストレーナを取り付けて、当該ストレーナの逆洗口と復水の還元口とを接続する逆洗管路を設けたことを特徴とする復水回収装置。
【発明の詳細な説明】
【技術分野】
【０００１】
本発明は、蒸気使用機器で発生した蒸気の凝縮水としての復水を、ボイラーや給水タンク等の所定の復水回収先へ回収する復水回収装置に関する。
【背景技術】
【０００２】
従来の復水回収装置として、例えば、地下ピットに溜まった液体を排除するものは、地下ピット内と液体圧送部材の流入口を接続して、液体圧送部材の導入口と循環口にエゼクタを接続したもので、低地である地下ピットに溜まった液体を、液体圧送部材によって所定の回収先へ回収することができるものである。
【０００３】
この復水回収装置においては、液体の流入口の入口側に、液体中に混入した鉄錆や砂粒などの異物を除去するためのストレーナを取り付けて、液体圧送部材の内部にこれらの異物が混入することを防止しているのであるが、このストレーナが短時間で目詰まりを起こしてしまう問題があった。
【先行技術文献】
【特許文献】
【０００４】
【特許文献１】特開平９−１１２４９７号公報
【発明の概要】
【発明が解決しようとする課題】
【０００５】
解決しようとする課題は、ストレーナの目詰まりを防止することのできる復水回収装置を提供すること。
【課題を解決するための手段】
【０００６】
本発明は、復水の流入口と還元口を設けた復水溜容器と、当該復水溜容器に高圧操作流体の導入口と循環口を形成すると共に、復水溜容器内の水位と共に浮上降下するフロート手段を配置して、当該フロート手段の移動に応じて上記高圧操作流体の導入口と循環口を開閉して復水を圧送し回収するものにおいて、復水の流入口の入口側に異物を漉し取るストレーナを取り付けて、当該ストレーナの逆洗口と復水の還元口とを接続する逆洗管路を設けたものである。
【発明の効果】
【０００７】
本発明の復水回収装置は、ストレーナの逆洗口と、復水の還元口とを逆洗管路で接続したことによって、還元口からの復水の一部を逆洗口からストレーナに供給することで、ストレーナを逆洗することができ、ストレーナの目詰まりを防止することができる。
【図面の簡単な説明】
【０００８】
【図１】本発明の復水回収装置の実施例を示す構成図。
【発明を実施するための最良の形態】
【０００９】
本発明の復水回収装置は、流入口の入口側にストレーナを取り付けるものであるが、このストレーナとしては、従来周知のものを使用することができるが、いわゆる、Ｙ型ストレーナが好適である。
【実施例１】
【００１０】
図１は本実施例の構成図であって、ピット１内に配置した液体圧送装置の復水溜容器２と、復水溜容器２の復水の流入口３の入口側に取り付けたストレーナ４とで復水回収装置を構成する。ピット１内の復水５を、復水溜容器２から所定の回収先へ復水回収ができるものである。
【００１１】
復水の流入口３に逆止弁６とストレーナ４とを介して復水流入管７を接続する。逆止弁６は、復水流入管７から復水溜容器２側への復水の流下を許容し、反対方向の流れは阻止する機能を有する。
【００１２】
ストレーナ４は、いわゆるＹ型ストレーナと呼ばれているもので、入口８と出口９を一直線上に配置して、その間に形成した漉し取り部１０で、入口８から流入する復水中に混入している鉄錆等の異物を漉し取り、異物の除かれた復水だけを出口９から復水溜容器２へ供給することができるものである。
【００１３】
復水の還元口１１に逆止弁１２を介して復水圧送管１３を接続する。逆止弁１２は、復水溜容器２内から復水圧送管１３側への復水の流下を許容し、反対方向の流れは阻止する機能を有する。復水圧送管１３の上部は、図示しない復水回収先へと接続する。従って、還元口１１と復水圧送管１３へと流下した復水は、所定の復水回収先へと回収される。
【００１４】
ストレーナ４の逆洗口１４と、復水の還元口１１と連通した復水圧送管１３とを、逆洗管路１５で接続する。逆洗管路１５の途中には、流路を開閉したり、あるいは、流路の開度を調節することのできるバルブ１６を取り付ける。
【００１５】
高圧操作流体の導入口１７へ高圧の駆動蒸気供給管１８を接続する。また、高圧操作流体の循環口１９へ大気と連通した管路２０を接続する。
【００１６】
復水溜容器２は、内部に配置した図示しないフロートが下方部に位置する場合に、高圧操作流体の導入口１７を閉口し、一方、高圧操作流体の循環口１９を開口して、復水流入管７からピット１内の復水を復水溜容器２内に流下させる。
【００１７】
復水溜容器２内に復水が溜まって図示しないフロートが所定上方部に位置すると、高圧操作流体の循環口１９を閉口し、一方、高圧操作流体の導入口１７を開口して、高圧の駆動蒸気供給管１８から圧送用の駆動蒸気を復水溜容器２の内部に流入させることによって、内部に溜まった復水を還元口１１と逆止弁１２から復水圧送管１３へと排出する。
【００１８】
復水流入管７から復水溜容器２内へ復水を供給する間にストレーナ４の漉し取り部１０で復水中に混入している鉄錆などの異物が漉し取られる。漉し取り部１０に溜まった異物の量が多くなると、バルブ１６を開弁することによって、復水の還元口１１から復水圧送管１３へと復水が排出される場合に、復水の一部が圧送管路１５と逆洗口１４を通って漉し取り部１０から入口８と復水流入管７へと逆流することで、漉し取り部１０を逆洗することができる。
【００１９】
復水が圧送されて復水溜容器２内の液位が低下すると、再度、高圧操作流体の導入口１７を閉口し、高圧操作流体の循環口１９を開口することによって、復水の流入口３から復水を復水溜容器２の内部へ流下させる。このような作動サイクルを繰り返すことによって復水を所定の回収先へ回収することができる。
【産業上の利用可能性】
【００２０】
本発明は、蒸気使用機器で発生した蒸気の凝縮水としての復水を、ボイラーや給水タンク等の所定の復水回収先へ回収する復水回収装置として利用することができる。
【符号の説明】
【００２１】
１  ピット
２  復水溜容器
３  復水の流入口
４  ストレーナ
６  逆止弁
７  復水流入管
８  入口
９  出口
１０  漉し取り部
１１  復水の還元口
１２  逆止弁
１３  復水圧送管
１４  逆洗口
１５  圧送管路
１６  バルブ
１７  高圧操作流体の導入口
１９  高圧操作流体の循環口
【図１】
2014009846.tif 000003